(57)【特許請求の範囲】
【請求項１】
第１の歯車と、この第１の歯車によって駆動される第２の歯車とを有する伝動装置において、減速伝動段階を形成するために第１の歯車（１）が第２の歯車（２）より大きい直径で形成されており、第１の歯車（１）はその外周に１条で周回しているねじ山（４）を有しており、そのピッチが第２の歯車の軸方向寸法に相応しており、さらに第２の歯車（２）は複数条に配置された複数のねじ山（３）を有していて、これらのねじ山（３）がそれぞれその数に相応する外周の分数部分に亘って延びており、第１の歯車（１）のねじ山（４）が強磁性または永久磁性で、第２の歯車（２）のねじ山（３）が永久磁性であり、さらに両歯車（１、２）は、ねじ山（３、４）の背部が互いにわずかな空隙を置いて向き合うように軸平行に配置されていることを特徴とする伝動装置。
【請求項２】
ねじ山（３）を有する第２の歯車（２）が永久磁性材料から一体的に形成されていることを特徴とする請求項１記載の伝動装置。
【請求項３】
第１の歯車（１）が中空軸歯車として形成されていることを特徴とする請求項１または２記載の伝動装置。
【請求項４】
強磁性のねじ山（４）の間に第２のねじ条として形成された非磁性材料からなるねじ山（５）が延びており、非磁性のねじ山（５）の断面高さが、強磁性のねじ山（４）の断面高さよりも、少なくとも強磁性のねじ山（４）と永久磁性のねじ山（３）との間の空隙の幅だけ大きいことを特徴とする請求項１から３のいずれか１項記載の伝動装置。
【請求項５】
絶対的な回転角測定系の第１中空軸に前記第１の歯車が装着され、第１の減速伝動装置として形成されていることを特徴とする請求項１から４のいずれか１項記載の伝動装置。
【発明の詳細な説明】
【０００１】
【発明の属する技術分野】
本発明は、歯車を用いた伝動装置に関する。
【０００２】
【従来の技術】
増速伝動装置および減速伝動装置として作用する装置は、１つ以上の伝動装置によって構成され、各伝導段階で、第１の駆動歯車が第２の従動歯車とかみ合う歯車伝動装置として形成されていることが好都合である。
【０００３】
このような歯車伝動装置は歯のかみ合いのために摩耗しやすい。
【０００４】
また、歯車伝動装置が減速伝動装置として用いられる場合、第２の従動歯車は、減速比に応じて第１の駆動歯車よりも大きい直径を有している。したがって、より大きい減速比が所望される場合には、伝動装置の寸法が著しく増大する恐れがある。
【０００５】
たとえば、絶対的な回転角測定系では、複数の軸回転に亘って回転角を絶対的に把握するために、機械的減速伝動装置が用いられる。回転角速度系は原則として、相応の速さで回転する電気駆動装置に連結されており、その回転数は最大１２，０００ｒｐｍに達する。このような高い回転数に対する軸受はコストがかかるので、第２の従動歯車に対してはコストの比較的小さい軸受を用いることができるように、伝動装置に対して高い減速比が所望される。したがって、このような回転角測定系において中空軸配置構成を用いると、中空軸上に配置された伝動装置の第１の駆動歯車には非常に大きい外径が生じる。その結果として、減速比に基づく第２の従動歯車の直径と組み合わせて、この伝動装置に対する非常に大きい半径方向の所要スペースが発生する。さらに、第２の従動歯車の寸法設定により、従動歯車には不利な慣性も生じる。
【０００６】
【発明が解決しようとする課題】
本発明の課題は、上記課題を解決することを目的とし、小さい寸法と小さい慣性モーメントを可能にして、ほぼ摩耗のない伝動装置を提供することである。
【０００７】
【課題を解決するための手段】
本発明の伝動装置は、第１の歯車と、この第１の歯車によって駆動される第２の歯車とを有する伝動装置において、減速伝動段階を形成するために第１の歯車（１）が第２の歯車（２）より大きい直径で形成されており、第１の歯車（１）はその外周に１条で周回しているねじ山（４）を有しており、そのピッチが第２の歯車の軸方向寸法に相応しており、さらに第２の歯車（２）は複数条に配置された複数のねじ山（３）を有していて、これらのねじ山（３）がそれぞれその数に相応する外周の分数部分に亘って延びており、第１の歯車（１）のねじ山（４）が強磁性または永久磁性で、第２の歯車（２）のねじ山（３）が永久磁性であり、さらに両歯車（１、２）は、ねじ山（３、４）の背部が互いにわずかな空隙を置いて向き合うように軸平行に配置されているものである。
【０００８】
また、ねじ山を有する第２の歯車が永久磁性材料から一体的に形成されているものである。
【００１０】
また、第１の歯車が中空軸歯車として形成されているものである。
【００１１】
また、強磁性のねじ山の間に第２のねじ条として形成された非磁性材料からなるねじ山が延びており、非磁性のねじ山の断面高さが、強磁性のねじ山の断面高さよりも、少なくとも強磁性のねじ山と永久磁性のねじ山との間の空隙の幅だけ大きいものである。
【００１２】
さらに、絶対的な回転角測定系の第１中空軸に第１の歯車が装着され、第１の減速伝動装置として形成されているものである。
【００１３】
本発明の基本思想は、第１の歯車が磁気抵抗継手を介して第２の歯車を駆動する伝動装置を形成することである。この目的のために、一方の歯車は強磁性材料または永久磁性材料からなる周回するねじ山を有し、他方の歯車は永久磁性材料からなる複数条のねじ山を有している。これらの歯車は、ねじ山が互いにわずかな空隙を置いて対向するように配置されている。第１の歯車が回転すると、ねじ山間の空隙が、したがってまた空隙における磁気エネルギーができるだけ小さくなるように第２の歯車が回転する。
【００１４】
この場合、両歯車のねじ条数の比が、減速比もしくは増速比を規定する。たとえば第１の歯車が１条のねじ山を有し、第２の歯車が複数条のねじ山を有していてこれらのねじ山がそれぞれ少なくとも外周の所定の分数部分に亘って延びている場合は、第２の歯車のねじ山のねじ条の数に相応する減速比が生じる。
【００１５】
これらの歯車は磁気抵抗を介して結合されていて、互いに接触しないので、伝動装置歯車は摩耗せずに協働する。
【００１６】
減速比もしくは増速比はねじ条の数によって規定され、構造的に歯車の半径には依存していない。それゆえ、減速伝動装置も小さい半径方向寸法で実現することができる。特に減速伝動装置においても、第２の歯車は第１の歯車よりはるかに小さい直径で形成することができる。そうすることによって、たとえば、第１の伝動装置の第１の歯車を中空軸上に配置した回転角速度系のような中空軸配置構成においても、第２の歯車の小さい半径方向寸法で高い減速比を実現する可能性が提供される。
【００１７】
直径の大きい方の歯車が強磁性のねじ山を備え、小さい方の歯車が永久磁性のねじ山で形成されることにより、安価な製造が提供される。そうすることによって、ねじ山を有する小さい方の歯車を永久磁性材料で一体的に形成することが可能である。
【００１８】
磁気抵抗継手は規定のトルクまでしか負荷できない。このトルクを越えると、第２の歯車は「同期外れ」となる。第２の歯車が小さい直径で形成されると（これは本発明に従う減速伝動装置でも可能である）、第２の歯車の慣性は小さく、原則として限界トルクを越えることはない。大きい回転加速度においても第２の歯車の同期外れを避けるために、好ましい構成においては、第１の歯車の強磁性ねじ山のねじ条間に、非磁性材料からなるねじ山の別のねじ条が配置される。この場合、非磁性のねじ山の断面高さは、強磁性のねじ山の断面高さよりも、少なくとも磁気協働するねじ山の間の空隙の幅だけ大きい。万一大きい回転加速度において、第２の歯車が第１の歯車との磁気係合を失った場合、第１の歯車の非磁性のねじ山はその断面高さが比較的大きいので、第２の歯車の永久磁性のねじ山と機械的に係合し、これを摩擦係合によって連行する。
【００１９】
伝動装置が減速伝動装置としても増速伝動装置としても形成できることが直ちに明らかである。また、駆動歯車または従動歯車は永久磁性に形成でき、それぞれ他方の歯車は強磁性のねじ山を有することが明らかである。さらに、両歯車がそれぞれ１条または複数条のねじ山を有し得ることが明らかである。減速比もしくは増速比は、ねじ山の数の比に基づいている。このように両歯車はその外周で互いに係合することができるが、一方の歯車を内歯車として形成して他方の歯車を内歯車の内周と係合させる得ることも明らかである。
【００２０】
【発明の実施の形態】
以下に、本発明の好適な例を図１に基づいて詳細に説明する。
第１の歯車（駆動歯車）１は、中空歯車として形成されている。これは、たとえば絶対的な回転角測定系の第１中空軸に装着することができるが、第１中空軸の一部として形成することもできる。
【００２１】
第１の歯車１の円筒形外周には強磁性材料からなるねじ山４が配置されている。ねじ山４は１条ねじとして第１の歯車１の回りに延びている。強磁性材ねじ山４のねじ条の間には、非磁性材料、たとえばアルミニウムからなる追加のねじ山５が配置されている。したがって、非磁性のねじ山５と強磁性材ねじ山４は、２条ねじの形式で配置されている。
【００２２】
第２の歯車２（従動歯車）は、第１の歯車１に対して軸平行にその外周に配置されている。第２の歯車２の軸方向寸法は、第１の歯車１のねじ山４のピッチに相応する。第２の歯車２はその外套面に、４条ねじの形式で配置された４つのねじ山３を有している。各々のねじ山は歯車２の外周の４分の１の部分に亘って延びており、ねじ山３の上端部はそれぞれそれに先行するねじ山３の下端部と角位置で重なっている。ねじ山３を有する第２の歯車２は、永久磁性材料で一体的に形成されている。
【００２３】
歯車１および２はそれらの軸間間隔、直径およびねじ山の断面高さに関して、歯車１の強磁性のねじ山４の背部と、歯車２の永久磁性のねじ山３の背部との間に最小の空隙が残るような寸法に設定される。非磁性のねじ山５は、強磁性のねじ山４の断面高さより前記空隙の幅だけ大きい断面高さを有している。
【００２４】
第２の歯車２は磁気抵抗に基づき、永久磁性のねじ山３と強磁性のねじ山４との間の空隙が、したがってこの空隙における磁気エネルギーが最小になるような角位置に調整される。
【００２５】
図面に示された位置において、強磁性のねじ山４のねじ条の上端部は、永久磁性のねじ山３のねじ条と対向している。第１の歯車１が、たとえば矢印の方向に駆動されると、強磁性のねじ山４のつる巻き線の形成に基づき、第２の歯車２に向けられたねじ山４の範囲が図面で軸方向下方に変位する。これに従い、永久磁性のねじ山３の同じ高さにある軸方向範囲が、空隙を最小に保つように位置調整される。これにより、第２の歯車２が反対の回転方向に回転する。第１の歯車１の強磁性のねじ山４は、第２の歯車２の軸方向高さに相応するピッチを有している。それゆえ、第１の歯車１が３６０度回転したときは、強磁性のねじ山４の第２の歯車２に向けられた範囲は第２の歯車２の軸方向高さだけ下方に変位されており、第２の歯車２は永久磁性のねじ山３が延びている角度、すなわち図示の例では９０度だけ回転している。永久磁性のねじ山３の始端部と終端部とが角位置で重なっていることに基づき、強磁性のねじ山４は後続の永久磁性のねじ山３の上端部と磁気係合して、第２の歯車２をさらに９０度回転させる。したがって、図示された伝動装置は４：１の減速比を有している。
【００２６】
強磁性のねじ山４が永久磁性のねじ山３と磁気係合している間は、非磁性のねじ山５は第２の歯車２の永久磁性のねじ山３とねじ山３の間と係合し、したがって作用しない。第１の歯車１の大きい回転加速度に基づいて、万一磁気抵抗力が第２の歯車２を連行するのに十分でない場合は、第２の歯車２は第１の歯車１の後ろに後退したままである。そうすることによって、非磁性のねじ山５は永久磁性のねじ山３の範囲に入り、その断面高さがより大きいのでこのねじ山３と摩擦係合によってかみ合うことになる。これにより、第２の歯車２は第１の歯車１によって非磁性のねじ山５を介して機械的に連行される。
【００２７】
【発明の効果】
上記のごとく、本発明の伝動装置によれば、小さい寸法と小さい慣性モーメントを可能にして、ほぼ摩耗のない伝動装置を提供することが可能となる。
【図面の簡単な説明】
【図１】本発明に係る伝動装置の例を示す斜視図である。
【符号の説明】
１  第１の歯車
２  第２の歯車
３  ねじ山
４  ねじ山
５  ねじ山
【図１】
0004143943.tif 000002